(57)【特許請求の範囲】
【請求項１】
不織布シート又は紙シートをロール状に巻き取ったロール状シートを略直方体形状または立方体形状の収容箱に収容したロール状シート収容製品であって、
前記収納箱が；
上面または前面にシート引出部を有し、
上面と背面との間の側縁および底面と背面との間の側縁に、側縁を挟んで隣接する面の各々に形成された側縁両端から所定距離離間した位置をそれぞれ始点および終点とする弧線により囲まれた傾斜面である縁取り面を有し、
前記縁取り面より前面がわ上部が開口されている略方形の箱本体部と、この開口部の背面がわ縁から延出され、当該開口部の背面がわ縁を起立縁として傾動可能に構成された前記開口部を覆う天板蓋部と、天板蓋部の前端から箱本体部前面の外面に重なるように延出する延出片とを備える；
ことを特徴とするロール状シート収容箱。
【請求項２】
縁取り面は、弧線間の最離間部の距離が１〜２０ｍｍであり、かつ、弧線始点と弧線終点との間の最短距離が５０〜１５０ｍｍである請求項１記載のロール状シート収容製品。
【請求項３】
収容箱は、底面から上面までの高さが４〜１５ｃｍである請求項１又は２記載のロール状シート収容製品。
【発明の詳細な説明】
【技術分野】
【０００１】
本発明は、ロール状シートを収容箱に収めたロール状シート収容製品に関する。
【背景技術】
【０００２】
フィルムシートや紙シートをロール状にしたロール状シートを収容箱１００に収容した製品１００Ｘは、例えば、下記先行文献１や先行文献２に示されるとおりよく知られる。これらは、図４にも示すように、一般的には、ロール状シート１０２を直方体形状の収容箱１００に収め、その長手面の一つに設けた取出口縁１２０Ｓから内部のロール状シート２の縁部１０２Ｔを露出させておき、このシート縁部１０２Ｔを手にもって適宜の距離引き出だしたのち切断して使用するように構成されている。
シートの切断は、例えば、収容箱１００を背面側（取出口縁形成面と反対面）から一方の手で軽く握るとともに、もう一方の手でシートを引き出し、その後に一方の手で収容箱１００をしっかりと握って支持するとともに引き出されたシート露出部根元を収容箱１００に対してひねるように手前に引いて収容箱１００の取出口縁１２０Ｓ等に設けられた切断刃等によって切断する。あるいは、ロール状シート２に予め切断用のミシン目が形成されている場合等には、引き出されたシート露出部根元を収容箱に対して押し付けるように収容箱とともにしっかりと握ってそれ以上にシートが引き出されないように支持し、その状態でシート縁を引っ張ってミシン目から切断するようにする。いずれにしても、シート切断にさいしては、一方の手で収容箱をしっかりと握って支持する必要がある。
【特許文献１】特開２０００−０６２７６５
【特許文献２】特開２０００−２０３５６７
【発明の開示】
【発明が解決しようとする課題】
【０００３】
従って、従来の、単なる直方体形状の収容箱であると、切断のさいなどに収容箱１００を一方の手で握って支持するときに、手の平が背面がわの側縁１００Ｅに強く押し付けられて、手のひらに側縁１００Ｅに沿って線状に跡がついたり、場合によっては痛みを感じたりすることがあった。また、側縁で手のひらに接触するため、保持性、フィット性に欠け、さらには意匠性もなかった。
そこで、本発明の主たる課題は、手に持ったときの保持性等に優れ、箱内に収容されたロール状シートをスムーズに取り出すことができ、しかも意匠性にも優れるロール状シートの収容箱およびロール状シートを収容箱に収めた製品を提供することにある。
【課題を解決するための手段】
【０００４】
上記課題を解決した本発明およびその作用効果、次記のとおりである。
＜請求項１記載の発明＞
不織布シート又は紙シートをロール状に巻き取ったロール状シートを略直方体形状または立方体形状の収容箱に収容したロール状シート収容製品であって、
前記収納箱が；
上面または前面にシート引出部を有し、
上面と背面との間の側縁および底面と背面との間の側縁に、側縁を挟んで隣接する面の各々に形成された側縁両端から所定距離離間した位置をそれぞれ始点および終点とする弧線により囲まれた傾斜面である縁取り面を有し、
前記縁取り面より前面がわ上部が開口されている略方形の箱本体部と、この開口部の背面がわ縁から延出され、当該開口部の背面がわ縁を起立縁として傾動可能に構成された前記開口部を覆う天板蓋部と、天板蓋部の前端から箱本体部前面の外面に重なるように延出する延出片とを備える；
ことを特徴とするロール状シート収容箱。
【０００５】
（作用効果）
本発明は上面と背面との間の側縁および底面と背面との間の側縁に縁取り面を設けたので、上記従来例において各面（上面、背面、底面）間の側縁に接触していた手のひらの部分が、当該縁取り面に面接触することになり、もって手の平に対する側縁の圧迫が少なくなるとともにフィット性、支持性に優れるようになる。
また、縁取り面を設けることにより、収容箱内の空間が狭くなるため、収容箱内におけるロールの回転以外の動きの自由度が小さくなり、もってロールが良好に回転しやすくなり、シート引き出し時のスムーズさが良好になる。特に、使用後期において、ロールが小さくなったときにおいて引き出しのスムーズさが失われづらい。
さらに、縁取り面の形成により、デザインされた感となり、意匠性にも優れるようになる。
【０００６】
【０００７】
また、本形態の形状では、箱本体部上部が開口されているのでシートを引き出しやすい。また、延出片の形成により、シートを適宜引き出した後において、収容箱を握ると同時に引き出されたシートの根元を支持するという操作がしやすく、シートの切断性に優れる。
【０００８】
【０００９】
さらに、かかる形状の縁取り面は、形成が容易であり、しかも手に持ちやすくかつ握りやすいものであり、支持性、フィット性により優れるものとなる。
【００１０】
＜請求項２記載の発明＞
縁取り面は、弧線間の最離間部の距離が１〜２０ｍｍであり、かつ、弧線始点と弧線終点との間の最短距離が５０〜１５０ｍｍである請求項１記載のロール状シート収容製品。
【００１１】
（作用効果）
かかる大きさの縁取り面とすると、手に持ちやすくかつ握りやすいものとなり、支持性、フィット性により優れるものとなる。
【００１２】
＜請求項３記載の発明＞
収容箱は、底面から上面までの高さが４〜１５ｃｍである請求項１又は２記載のロール状シート収容製品。
【００１３】
（作用効果）
かかる大きさの収容箱とすると、手に持ちやすくかつ握りやすいものとなり、支持性、フィット性により優れるものとなる。
【００１４】
【００１５】
【発明の効果】
【００１６】
本発明によれば、手に持ったときの保持性等に優れ、収容箱内に収容されたロール状シートをスムーズに取り出すことができ、しかも意匠性にも優れるロール状シートの収容箱およびロール状シートを収容箱に収めた製品が提供される。
【発明を実施するための最良の形態】
【００１７】
次いで、本発明の実施の形態を図面を参照しながら以下に詳述する。
図１は、本形態にかかるロール状シート収容製品Ｘの前面がわからみた斜視図である。図２は、背面がわからみた斜視図である。図３は、天板蓋部を上げてシートが引き出されている状態を示す前面がわからの斜視図である。
【００１８】
収容箱１は、全体として略直方体形状をなしており、例えばコートボール紙等の坪量が３００〜５００ｇ／ｍ2程度の高坪量の紙材を用いて形成されている。前面にシート引出部１２Ｓを有しこの引出部１２Ｓから内部に収容されているロール状シート２の端を適宜引き出す。
【００１９】
収容箱１の大きさとしては、手に保持しやすいことから、底面から上面までの高さが４〜１５ｃｍとし、端面間１Ｅ,１Ｅの距離（長さ）が１５〜３５ｃｍ程度であるのが望ましい。
【００２０】
なお、収容箱１は１枚のコートボール紙を所定形状に裁断し、各辺部を折り曲げるとともに、端面部分に設けた各接着片を接着して貼り合わせることにより、図１にて示すように立体的に組み立てることができる。また、収容箱１は、坪量が概ね３００ｇ／ｍ2 未満であると変形したり潰れやすくなり、坪量が５００ｇ／ｍ2 を超えると過度の強度となりゴミ量の増加を助長することになるので好ましくない。
【００２１】
この収容箱１の上面１Ｔと背面１Ｒとの間の側縁および底面１Ｂと背面１Ｒとの間の側縁には、それぞれ縁取り面２０が形成されている。この縁取り面２０は、それぞれ隣接する面（上面１Ｔと背面１Ｒ、底面１Ｂと背面１Ｒ）の各々に形成された、側縁両端Ｔから所定距離離間した位置をそれぞれ始点２０Ｓおよび終点２０Ｅとする弧線２０Ｒ,２０Ｒ、により囲まれた略木の葉状の傾斜面である。側縁端から始点あるいは終点までの距離は０〜５ｃｍ程度とするのが望ましい。また、弧線２０Ｒ,２０Ｒ間の最離間部の距離Ａが１〜２０ｍｍであり、弧線始点と弧線終点との間の最短距離Ｂが５０〜１５０ｍｍであるのが望ましい。かかる大きさとすると手のひらにフィットしやすく握りやすいものとなる。
【００２２】
他方、前記収容箱１は、縁取り面２０より前面がわ上部が開口されている略方形の箱本体部１０と、この開口部１０Ｆの背面１Ｒがわ縁から延出され、当該開口部背面がわ縁１１Ａを起立縁１１Ａとして傾動可能に構成された前記開口部１０Ｆを覆う天板蓋部１１と、天板蓋部１１の前端から箱本体部１０前面の外面１Ｔに重なるように延出する延出片１２と、で構成されている。延出片１２の高さは前面の高さの１／４〜３／４程度であり、また約１〜４ｃｍ程度であるのが望ましい。１ｃｍ未満であると延在片１２を指で押さえる操作がしづらくなる。
【００２３】
箱本体部１０は、収容するロール状シート２の幅よりも若干幅広に形成されており、前記上面開口部１０Ｆからロール状シート２の出し入れを可能としているとともに、ロール状シート２がほぼぴったりと収まるように構成されている。
【００２４】
前記起立縁１１Ａより天板蓋部１１を起立させて上げた状態で箱本体部１０の開口部１０Ｆからロール状シート２の端部分２Ｔを持って引き出し、その後に天板蓋部１１を下げると箱本体部１０前面と延出片１２との間を通って前記延出片端１２Ｓからシート端部２Ｔが収容箱１外に露出されるようになる。
【００２５】
かかる収容箱１内に収められるロール状シート２としては、メルトブロー法やスパンボンド法により得られる単層あるいは多層の不織布シート、各種既知のパルプを抄紙してなる単層あるいは多層の紙シート等をロール状に巻き取ったものであり、例えば、クッキングペーパー、キッチンペーパー、トイレットペーパー等が該当する。また、シートには適宜の間隔でミシン目２Ｍなどの易切り離し線を幅方向に渡って形成されている。適宜、エンボス加工等が施されていてもよい。
【００２６】
なお、ロール状シート２の抄紙方法や巻取り方法などのロール状シート２の具体的な製造方法については、従来既知の製造方法を用いることができる。また、本発明におけるロール状シートは、有芯であるか無芯であるかは問わない。
【００２７】
次いで、上述のロール状シート収容製品Ｘの使用例について説明する。まず、天板蓋部１１を上げて箱本体部１０の上部開口部１０Ｆを開放し、箱内１０に収容されているロール状シート２の先端縁２Ｔを箱本体部外１０に所定距離引き出す。次ぎに、天板蓋部１１により箱本体部１０の上部開口部１０Ｆを閉じる。この状態が使用可能な状態である。
【００２８】
次いで、この使用可能状態において一方の手で収容箱１を背面１Ｒがわから握り、他方の手で前記延出片１２の縁１２Ｓより露出するシート端２Ｔを持って所定距離引き出す。このシート２を引き出す際には、天板蓋部１１および延出片１２を強く押さえないようにする。また、引き出しに際しては、隣接するミシン目２Ｍ間に延出片１２の縁が位置するようにして引き出すのが望ましい。
【００２９】
そして、このとき収容箱１内においてロール状シート２が回転するが、本形態の収容箱１では、縁取り面２０,２０が背面１Ｒ側の上部および下部に形成されて収容箱１内において当該延出取り面２０,２０形成部分が収容箱１内に背面１Ｒがわから張り出して収容箱１Ｒ内を狭小にしている。従って、引き出しに伴ってロール２が背面がわ１Ｒに移動する余裕幅が小さく、ロール２がかかる背面方向への移動に伴って箱内で暴れることがなく回転がスムーズになされる。
【００３０】
このようにしてシート端部分２Ｔを引出部１２Ｓより所要長さ引き出したならば、延出片１２に親指を押し付ける形で収容箱１を握って支持して、引き出したシート露出部分２Ｔの根元部分を箱本体部１０前面と延出片１２とによってしっかりと挟持する。そして、この状態で、もう一方の手で、引き出したシートの一端部２Ｔを摘んで手前側に折り返すようにあるいはミシン目２Ｍを介して隣接するシート単部を引き離すようにして引いてシートの切断を図る。
【産業上の利用可能性】
【００３１】
本発明は、例えば、トイレットペーパー、キッチンペーパー等の紙シート、不織布シートを巻き取ったものに好適であるが、その他いわゆるラップフィルム等の各種フィルムシートの巻き物を収容する収容箱にも利用可能である。
【図面の簡単な説明】
【００３２】
【図１】本発明にかかるロール状シート収容製品の斜視図である。
【図２】その端面がわから見た図である。
【図３】本発明の他の形態の斜視図である。
【図４】従来のロール状シート収容箱の例を示す斜視図である。
【符号の説明】
【００３３】
１…収容箱、１Ｔ…上面、１Ｆ…前面、１Ｒ…背面、１Ｂ…底面、１Ｅ…端面、１３…引出部、２…ロール状シート、２Ｍ…ミシン目、１０…箱本体部、１０Ｆ…上部開口部、１１…天板蓋部、１１Ａ…天板蓋部起立縁、１２…延出片、１２Ｓ…延出片端縁、２０…縁取り面、２０Ｒ…弧線、２０Ｓ…弧線始点、２０Ｅ…弧線終点、Ｘ…ロール状シート収容製品。
【図１】
0004827493.tif 000002
【図２】
0004827493.tif 000003
【図３】
0004827493.tif 000004
【図４】
0004827493.tif 000005